【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
ディスプレイ及びユーザインタフェース選択装置を有するコンピュータシステムにおいて、前記ディスプレイ上にグラフィカルユーザインタフェースを提供する方法であって、
前記方法は、
（ａ）少なくとも２つの関連テキストボックスオブジェクトの第１のチェーンを生成し、かつ少なくとも２つの関連テキストボックスオブジェクトの第２のチェーンを生成するステップであって、前記第１のチェーンのテキストボックスオブジェクトは前記第２のチェーンのテキストボックスオブジェクトと異なり、前記第１のチェーンの少なくとも２つのテキストボックスオブジェクトは、２つのテキストボックスオブジェクトがテキストの文字列を含むという点において互いに関連し、第１のテキストボックスオブジェクトに適合しない文字列のテキストは第２のテキストボックスオブジェクトに波及し、前記第２のチェーンの少なくとも２つのテキストボックスオブジェクトは、２つのテキストボックスオブジェクトがテキストの文字列を含むという点において互いに関連し、第１のテキストボックスオブジェクトに適合しない文字列のテキストは第２のテキストボックスオブジェクトに波及する、ステップと、
（ｂ）前記第１のチェーンおよび第２のチェーンのそれぞれのテキストボックスオブジェクトとともに第１の視覚補助機能および第２の視覚補助機能を表示するステップであって、前記第１の視覚補助機能は、第１の同じ色を有する前記第１のチェーンのそれぞれのテキストボックスの色および第２の同じ色を有する前記第２のチェーンのそれぞれのテキストボックスの色を含み、前記第１の色および第２の色は互いに異なり、前記第２の視覚補助機能は、前記第１および第２のチェーンの少なくとも２つのテキストボックスオブジェクトのそれぞれに数字または文字の１つを含み、前記第１のチェーンのそれぞれのテキストボックスオブジェクトの数字または文字は順序通りに増え、それぞれの前記第２の視覚補助機能の数字または文字は、ぞれぞれのテキストボックスオブジェクトのテキストが前記第１のチェーンにおいて読み込まれる順序を示しており、前記第２のチェーンのそれぞれのテキストボックスオブジェクトの数字または文字は順序通りに増え、それぞれの前記第２の視覚補助機能の数字または文字は、ぞれぞれのテキストボックスオブジェクトのテキストが前記第２のチェーンにおいて読み込まれる順序を示している、ステップと
を含むことを特徴とする方法。
【請求項２】
前記ステップ（ｂ）は、色付き境界で少なくとも２つのテキストボックスオブジェクトを表示するステップを含むことを特徴とする請求項１に記載の方法。
【請求項３】
前記色付き境界で少なくとも２つのテキストボックスオブジェクトを表示するステップは、前記少なくとも２つのテキストボックスオブジェクトを互いに連結するときに、前記少なくとも２つのテキストボックスオブジェクトを同じ色付き境界で表示するステップを含むことを特徴とする請求項２に記載の方法。
【請求項４】
前記色付き境界で少なくとも２つのテキストボックスオブジェクトを表示するステップは、前記少なくとも２つのテキストボックスオブジュクトを互いに連結しないときに、前記少なくとも２つのテキネトボックスオブジェクトを異なる色付き境界で表示するステップを含むことを特徴とする請求項２に記載の方法。
【請求項５】
前記少なくとも２つのテキストボックスオブジェクトの間の関係が変化するときに、ディスプレイ上の少なくとも１つの視覚補助機能の外観を変更するステップ（ｃ）をさらに含むことを特徴とする請求項１に記載の方法。
【請求項６】
前記ステップ（ｃ）は、前記少なくとも２つのテキストボックスオブジェクトのうちの第１のテキストボックスオブジェクトの境界の色を、前記第１のテキストボックスオブジェクトが第２のテキストボックスオブジェクトに連結された後に、変更するステップを含むことを特徴とする請求項５に記載の方法。
【請求項７】
前記ステップ（ｃ）は、前記少なくとも２つのテキストボックスオブジェクトのうちの第１のテキストボックスオブジェクトの境界の色を、前記第１のテキストボックスオブジェクトが第２のテキストボックスオブジェクトから分離された後に、変更するステップを含むことを特徴とする請求項５に記載の方法。
【請求項８】
前記ステップ（ｃ）は、前記少なくとも２つのテキストボックスオブジェクトのうちの第１のテキストボックスオブジェクト上の数字を、連結テキストボックスオブジェクトのチェーン内の第１のテキストボックスオブジェクトの相対位置が変化するときに、変更するステップを含むことを特徴とする請求項５に記載の方法。
【請求項９】
ユーザインタフェース選択装置によりスクリーンカーソルが前記テキストボックスオブジェクト上にあるとき、前記少なくとも１つの視覚補助機能を単に表示するステップをさらに含むことを特徴とする請求項１に記載の方法。
【請求項１０】
文書処理ソフトウェアアプリケーションにおいてグラフィカルユーザインタフェースをディスプレイ上に提供する方法をプロセッサが実行するようにプログラムするコンピュータ実行可能命令を有するコンピュータ読み取り可能な記憶媒体であって、
前記コンピュータ実行可能命令が実行されると、前記コンピュータ実行可能命令は、コンピュータに、
（ａ）少なくとも２つの関連テキストボックスオブジェクトの第１のチェーンを生成し、かつ少なくとも２つの関連テキストボックスオブジェクトの第２のチェーンを生成するステップであって、前記第１のチェーンのテキストボックスオブジェクトは前記第２のチェーンのテキストボックスオブジェクトと異なり、前記第１のチェーンの少なくとも２つのテキストボックスオブジェクトは、２つのテキストボックスオブジェクトがテキストの文字列を含むという点において互いに関連し、第１のテキストボックスオブジェクトに適合しない文字列のテキストは第２のテキストボックスオブジェクトに波及し、前記第２のチェーンの少なくとも２つのテキストボックスオブジェクトは、２つのテキストボックスオブジェクトがテキストの文字列を含むという点において互いに関連し、第１のテキストボックスオブジェクトに適合しない文字列のテキストは第２のテキストボックスオブジェクトに波及する、ステップと、
（ｂ）前記第１のチェーンおよび第２のチェーンのそれぞれのテキストボックスオブジェクトとともに第１の視覚補助機能および第２の視覚補助機能を表示するステップであって、前記第１の視覚補助機能は、第１の同じ色を有する前記第１のチェーンのそれぞれのテキストボックスの色および第２の同じ色を有する前記第２のチェーンのそれぞれのテキストボックスの色を含み、前記第１の色および第２の色は互いに異なり、前記第２の視覚補助機能は、前記第１および第２のチェーンの少なくとも２つのテキストボックスオブジェクトのそれぞれに数字または文字の１つを含み、前記第１のチェーンのそれぞれのテキストボックスオブジェクトの数字または文字は順序通りに増え、それぞれの前記第２の視覚補助機能の数字または文字は、ぞれぞれのテキストボックスオブジェクトのテキストが前記第１のチェーンにおいて読み込まれる順序を示しており、前記第２のチェーンのそれぞれのテキストボックスオブジェクトの数字または文字は順序通りに増え、それぞれの前記第２の視覚補助機能の数字または文字は、ぞれぞれのテキストボックスオブジェクトのテキストが前記第２のチェーンにおいて読み込まれる順序を示している、ステップと
を含む方法を実行させ、
前記表示するステップは、前記少なくとも２つのテキストボックスオブジェクトを連結テキストボックスオブジェクトの第１のチェーン内で連結する際に、前記少なくとも２つのテキストボックスオブジェクトの少なくとも一部の表示を前記第１のチェーンにおいて振動させるステップをさらに含み、
前記表示するステップは、前記少なくとも２つのテキストボックスオブジェクトを連結テキストボックスオブジェクトの第２のチェーン内で連結する際に、前記少なくとも２つのテキストボックスオブジェクトの少なくとも一部の表示を前記第２のチェーンにおいて振動させるステップをさらに含む、
ことを特徴とするコンピュータ読み取り可能な記憶媒体。
【請求項１１】
前記表示するステップは、前記テキストボックスオブジェクトを、２つ以上の連結テキストボックスオブジェクトのグループ内の前記テキストボックスオブジェクトが表示される色で表示するステップを含むことを特徴とする請求項１０に記載のコンピュータ読み取り可能な記憶媒体。
【請求項１２】
前記テキストボックスオブジェクトが前記２つ以上のテキストボックスオブジェクトのグループから分離されるときに、前記テキストボックスオブジェクトの色及びシーケンシャルインジケータを変更するステップをさらに含むことを特徴とする請求項１０に記載のコンピュータ読み取り可能な記憶媒体。
【請求項１３】
ユーザインタフェース選択装置によりスクリーンカーソルが前記テキストボックスオブジェクト上にあるとき、前記テキストボックスオブジェクトの色及び前記テキストボックスオブジェクトのシーケンシャルインジケータを単に表示するステップをさらに含むことを特徴とする請求項１０に記載のコンピュータ読み取り可能な記憶媒体。